(57)【要約】【課題】セキュリティ機器が警戒状態中にメーターで異常が発生した場合、異常解除操作の対応時に誤報を防止した家庭内情報システムを提供することを目的とする。【解決手段】開閉センサー１６、人感センサー１７およびガスメーター２２を通信・制御する家庭内情報端末１０を備え、この家庭内情報端末１０は、ガスメーター２２での異常検知時にこれを報知する機能と開閉センサー１６、人感センサー１７の警戒状態を解除する機能を備えたものである。これによって、例えば、ガス漏れ発生時に窓を開けるなどの異常解除操作の対応を行った場合、開閉センサー１６、人感センサー１７などのセキュリティ機器の警戒状態が解除されているので、開閉センサー１６や人感センサー１７の動作による不要な警報や通報といった誤報を防止することが可能となる。【選択図】図１
2006343929.tif 000002
【特許請求の範囲】
【請求項１】
部屋の異常情報を検知するセキュリティ機器と、安全監視機能を有するガス・水道・電力などの少なくとも一つのメーターと、これらセキュリティ機器およびメーターと通信・制御する家庭内情報端末とを備え、前記家庭内情報端末は、メーターでの異常検知時にこれを報知する機能とセキュリティ機器の警戒状態を解除する機能を備えた家庭内情報システム。
【請求項２】
家庭内情報端末は、メーターの異常検知に基づき画面表示で異常解除操作手順を示す表示装置を有する請求項１に記載の家庭内情報システム。
【請求項３】
家庭内情報端末は、セキュリティ機器の警戒状態を解除する設置範囲を設定可能とする機能を有する請求項１または２に記載の家庭内情報システム。
【請求項４】
家庭内情報端末は、セキュリティ機器の警戒状態の解除時にこれを報知するようにした請求項１〜３のいずれか１項に記載の家庭内情報システム。
【請求項５】
家庭内情報端末に外部への通信手段を設け、この通信手段により、メーター異常検知によるセキュリティ機器の警戒状態の解除情報を指定の通信端末に通報するようにした請求項１〜４のいずれか１項に記載の家庭内情報システム。
【請求項６】
家庭内情報端末に時計手段を設け、メーターの異常検知が解除された情報を元に、所定時間経過後にセキュリティ機器の警戒状態を復帰させるようにした請求項１〜５のいずれか１項に記載の家庭内情報システム。
【請求項７】
家庭内情報端末は、各設定の有無を選択できる手段を有している前記請求項１〜６のいずれか１項に記載の家庭内情報システム。
【発明の詳細な説明】
【技術分野】
【０００１】
本発明は、部屋の異常情報を検知するセキュリティ機器と、安全監視機能を有するガス・水道・電力などのメーターを備えた家庭内情報システムに関するものである。
【背景技術】
【０００２】
従来、この種の家庭内情報システムとして、ガス管理の安全性の向上を実現したガス遮断システムが知られている（例えば、特許文献１参照）。
【０００３】
これは、図３に示すように、各部屋に防犯センサー１ａ、介護緊急ボタン１ｂ、地震センサー１ｃ、熱センサー１ｄ、煙センサー１ｅ、炭酸ガスセンサー１ｆ、一酸化炭素センサー１ｇ、ガス漏れセンサー１ｈなどからなる各種警報センサー群１が配置され、コントローラー２に接続されている。これら各種警報センサー群１が異常を感知するとコントローラー２のセンサー網制御装置２ｂにて信号を変換し、送受信装置２ａにより公衆電話回線３ａを通じて所定の通報受信者５である介護・医療センター５ａ、一般の利用者５ｂ、警備保障センター５ｃに通報する。なお、公衆電話回線３ａは、電話端末４やインターネットなどのパソコン端末が接続されている。
【０００４】
また、コントローラー２のセンサー信号識別器２ｃはガスメーター６のガス遮断器６ａと接続されており、警報センサー群１にて検知された情報を元に必要に応じガスを遮断する。また、ガスメーター６は網制御装置７から公衆回線３ｂおよびガス集中監視装置８を通じ、ガス管理センター９に通報する用に構成されている。
【特許文献１】特開２００３−１５１０４４号公報
【発明の開示】
【発明が解決しようとする課題】
【０００５】
しかしながら、前記従来の構成では、防犯センサー１ａが警戒状態中に、ガスメーター６でガス漏れなどの異常を検知した場合、利用者５ｂや警備保障センター５ｃなどに通報するが、利用者５ｂが異常発生場所に出向き、確認や窓を開けるなどの異常解除操作の対応をすると、防犯センサー１ａ、すなわち窓やドアに設置された開閉センサーが動作したり、部屋内に設置された人感センサーが利用者を検知し、警報を発したり、電話回線などを通じて指定先に侵入者として通報してしまう（誤報動作）と言うことがある。
【０００６】
本発明は、前記従来の課題を解決するもので、防犯センサーなどのセキュリティ機器が警戒状態中にメーターで異常が発生した場合には、警報や通報といった誤報を防止することを可能とした家庭内情報システムを提供することを目的とする。
【課題を解決するための手段】
【０００７】
前記従来の課題を解決するために、本発明の家庭内情報システムは、セキュリティ機器およびメーターと通信・制御する家庭内情報端末を備え、この家庭内情報端末は、メーターでの異常検知時にこれを報知する機能とセキュリティ機器の警戒状態を解除する機能を備えたものである。
【０００８】
これによって、例えば、ガス漏れ発生時に窓を開けるなどの異常解除操作の対応を行った場合、セキュリティ機器の警戒状態が解除されているので、部屋内に設置された人感センサーや窓に設置された開閉センサーの動作による不要な警報や通報といった誤報を防止することが可能となる。
【発明の効果】
【０００９】
本発明の家庭内情報システムは、メーターの異常検知に対する対応操作時の警報や通報といった誤報を防止することを可能とすることができる。
【発明を実施するための最良の形態】
【００１０】
第１の発明は、部屋の異常情報を検知するセキュリティ機器と、安全監視機能を有するガス・水道・電力などの少なくとも一つのメーターと、これらセキュリティ機器およびメーターと通信・制御する家庭内情報端末とを備え、前記家庭内情報端末は、メーターでの異常検知時にこれを報知する機能とセキュリティ機器の警戒状態を解除する機能を備えた家庭内情報システムとすることにより、例えば、ガス漏れ発生時に窓を開けるなどの異常解除操作の対応を行った場合、セキュリティ機器の警戒状態が解除されているので、部屋内に設置された人感センサーや窓に設置された開閉センサーの動作による不要な警報や通報といった誤報を防止することが可能となる。
【００１１】
第２の発明は、第１の発明において、家庭内情報端末は、メーターの異常検知に基づき画面表示で異常解除操作手順を示す表示装置を有することにより、画面に従って窓を開けるなどのメーターの異常検知に対する異常解除操作手順を間違いなく行うことができる。
【００１２】
第３の発明は、第１または第２の発明において、家庭内情報端末は、セキュリティ機器の警戒状態を解除する設置範囲を設定可能とする機能を有することにより、メーターやセキュリティ機器の設置場所などを登録・管理している家庭内情報端末にてあらかじめセキュリティ機器の警戒を自動的に解除する範囲を入力・設定することができる。これは、セキュリティ機器の警戒解除を行う部屋など対象範囲が限定でき、他の範囲でセキュリティ機器の警戒状態を継続することができるため、より信頼性の高いセキュリティ機能を有する家庭内情報システムを実現できる。
【００１３】
第４の発明は、第１〜第３のいずれか１つの発明において、家庭内情報端末は、セキュリティ機器の警戒状態の解除時にこれを報知するようにしたことにより、警戒状態解除確認後に窓を開けるなどの異常解除操作を行うことができるため、より安心で信頼性のあるセキュリティ機能を有する家庭内情報システムを実現できる。
【００１４】
第５の発明は、第１〜第４のいずれか１つの発明において、家庭内情報端末に外部への通信手段を設け、この通信手段により、メーター異常検知によるセキュリティ機器の警戒状態の解除情報を指定の通信端末に通報するようにしたことにより、例えば、メーターで異常を検出した場合、セキュリティ機器の警戒解除操作が行われたことを外出先へ通報することにより、速やかに外出先から家庭に異常状況の確認や安否の確認などができるため、より安心で信頼性のあるセキュリティ機能を有する家庭内情報システムを実現できる。
【００１５】
第６の発明は、第１〜第５のいずれか１つの発明において、家庭内情報端末に時計手段を設け、メーターの異常検知が解除された情報を元に、所定時間経過後にセキュリティ機器の警戒状態を復帰させるようにしたことにより、セキュリティ機器の警戒再設定忘れの防止や復帰操作の煩わしさをなくすなど、より安心・安全・便利で信頼性のあるセキュリティ機能を有する家庭内情報システムを実現できる。
【００１６】
第７の発明は、第１〜第６のいずれか１つの発明において、家庭内情報端末は、各設定の有無を選択できる手段を有していることにより、在宅時と不在時や家々の事情など必要に応じた使い分けが可能となり、より便利で信頼性の高いセキュリティ機能を有する家庭内情報システムを実現できる。
【００１７】
以下、本発明の実施の形態について、図面を参照しながら説明する。なお、この実施の
形態によって本発明が限定されるものではない。
【００１８】
（実施の形態）
図１、図２は、本発明の実施の形態における家庭内情報システムをメーターとしてガスメーターを使用例として示したものである。
【００１９】
図１に示すように、本実施の形態における家庭内情報システムは、部屋の異常情報を検知する開閉センサー１６や人感センサー１７などのセキュリティ機器と、安全監視機能を有するガスメーター２２と、これらセキュリティ機器およびガスメーター２２と通信・制御する家庭内情報端末１０とを備えたものである。
【００２０】
家庭内情報端末１０は、表示面にタッチパネル１１による入力装置を配した表示装置１２および警報音発生用スピーカ１３を外面に、内部に時計手段１４および通信手段１５を有したものであり、開閉センサー１６や人感センサー１７などのセキュリティ機器と接続され、開閉センサー１６および人感センサー１７による警戒状態設定中の窓やドアなどが開かれた異常情報や不審者の進入などの異常情報を元に、表示装置１２および警報音発生用スピーカ１３により報知する。
【００２１】
また、家庭内情報端末１０は、通信手段１８やガス遮断手段２１および復帰ボタン２３を有したガスメーター２２と接続され、ガスメーター２２が独自にガス異常を検知した場合や、ガスメーター２２に接続されたガス漏れセンサー１９やＣＯ（一酸化炭素）センサー２０に異常が検知された場合に安全を確保するためガスを遮断するため、ガスメーター２２と有機的に関連して自動制御システムを構成している。
【００２２】
更に、家庭内情報端末１０は、内部の通信手段１５により、電話回線２４を経由して通信端末としての外部の電話機２５と接続したものであり、指定された電話機２５への通報制御を行う機能を構成している。
【００２３】
そして、家庭内情報端末１０は、ガスメーター２２での異常検知時にこれを表示装置１２および警報音発生用スピーカ１３により報知するとともに、セキュリティ機器の警戒状態を自動的に解除する機能を備えている。
【００２４】
図２は、家庭内情報システムにおいて、ガス異常が発生した時に家庭内情報端末１０の表示装置１２に報知される画面表示内容および操作手順を示すものである。
【００２５】
すなわち、ガス異常が発生した時には家庭内情報端末１０の表示装置１２の画面には、ガス漏れ遮断報知画面２６がポップアップ表示され、ガス漏れ遮断が発生したことを報知する。次に、確認ボタン３２を押すとガス漏れ遮断報知画面２７を表示する。次ページ指示ボタン３３を押すとガス漏れ遮断報知画面２８を表示する。次に、次ページ指示ボタン３３を押すとガス漏れ遮断報知画面２９を表示する。また、前ページ指示ボタン３４を押すとガス漏れ遮断報知画面２７に戻る。前記ガス漏れ遮断報知画面２９においてガスメーター復帰ボタン３５を押すとガス漏れ遮断報知画面３０を一定期間表示し、その後ガス漏れ遮断報知画面３１を表示する。
【００２６】
以上のように構成された家庭内情報システムについて、以下その動作、作用を説明する。
【００２７】
まず、開閉センサー１６および人感センサー１７が警戒状態にある時にガスメーター２２の内部異常検出やガスメーター２２に接続されたガス漏れセンサー１９やＣＯセンサー２０にてガス漏れ異常が検知された場合、家庭内情報端末１０は警報音発生用スピーカ１
３から警報音を発するとともに、表示装置１２にガス漏れ遮断報知画面２６をポップアップ表示する。このとき、家庭内情報端末１０は、開閉センサー１６や人感センサー１７のセキュリティ機器の警戒状態を自動的に解除する。同時に、家庭内情報端末１０は、セキュリティ機器の警戒状態の解除時にこれを報知するようにしている。これにより、警戒状態解除確認後に窓を開けるなどの異常解除操作を行うことができ、より安心で信頼性のあるものとしている。
【００２８】
次に、使用者がガス漏れ遮断報知画面２６の内容を確認後に画面内の確認ボタン３２を押すと開閉センサー１６および人感センサー１７の警戒状態が解除されると同時にガス漏れ遮断報知画面２７が表示されガス栓、器具栓を閉めることを促す。使用者がガス栓や器具栓を閉め、次ページ表示ボタン３３を押すとガス漏れ遮断報知画面２８が表示され、扉や窓を十分に開けることを促す。この場合、セキュリティ機器の警戒状態が事前に解除されているので、部屋内に設置された人感センサー１７や窓に設置された開閉センサー１６の動作による不要な警報や通報といった誤報を防止できる。
【００２９】
使用者が扉や窓を十分に開け、次ページ表示ボタン３３を押すとガス漏れ遮断報知画面２９が表示され、安全を確認後にガスメーター２２の復帰ボタン２３を押すことを促す。続けて使用者がガスメーター２２の復帰ボタン２３を押すとガス漏れ遮断報知画面３０が表示され、ガスメーター２２と家庭内情報端末１０が通信しガスメーター２２の復帰動作中であることを報知する。一定時間経過後、ガス漏れ遮断報知画面３１が表示され、ガスメーター２２の復帰動作が完了しガスが使用可能状態になったことを報知する。
【００３０】
なお、家庭内情報端末１０は、外部への通信手段１５により、メーター異常検知によるセキュリティ機器の警戒状態の解除情報を指定の通信端末である電話機２５に通報する。このため、例えば、メーターで異常を検出した場合、セキュリティ機器の警戒解除操作が行われたことを外出先へ通報することにより、速やかに外出先から家庭に異常状況の確認や安否の確認などができる。したがって、より安心で信頼性のあるセキュリティ機能を有する家庭内情報システムを実現できる。
【００３１】
また、本実施の形態では、異常を検知したガスメーター２２や開閉センサー１６および人感センサー１７の設置場所などを登録・管理している家庭内情報端末１０の表示装置１２の画面表示を元にタッチパネル１１にて入力することにより、あらかじめ開閉センサー１６および人感センサー１７の警戒を自動的に解除する範囲を設定することができるものである。すなわち、この場合、図１に示す、部屋１ではなく、部屋２の開閉センサー１６および人感センサー１７の警戒を自動的に解除する。これにより、セキュリティ機器の警戒解除を行う部屋など対象範囲が限定でき、他の範囲でセキュリティ機器の警戒状態を継続することができるため、より信頼性を高めることができる。
【００３２】
また、本実施の形態では、家庭内情報端末１０の時計手段１４により、ガスメーター２２の異常検知が解除された情報を元に、所定時間経過後にセキュリティ機器の警戒状態を自動復帰させるようにすることができ、セキュリティ機器の警戒再設定忘れの防止や復帰操作の煩わしさをなくすなど、より安心・安全・便利で信頼性を高めることができる。
【００３３】
また、家庭内情報端末１０は、各設定の有無を選択できる手段（図示せず）を有しているものであり、在宅時と不在時や家々の事情など必要に応じた使い分けが可能となり、より便利で信頼性の高いものとしている。
【００３４】
以上のように、本実施の形態においては、セキュリティ機器が警戒状態中にメーターで異常が発生した場合には、警報や通報といった誤報を防止することを可能とした家庭内情報システムを提供することができる。
【００３５】
なお、本実施の形態では、メーターとしてガスメーターを例示したが、これに限られず、水道メーターあるいは電力メーターと言った主要家庭内ライフラインのメーターであればよく、さらに、これらメーターの組み合わせであってもよい。また、メーターでの異常検知時にこれを報知する場合、本実施の形態では、表示装置１２および警報音発生用スピーカ１３により報知したが、これにこれに限られず、また、いずれか一つのみを用いてもよい。また、セキュリティ機器としても、開閉センサー１６および人感センサー１７を例示したが、それ以外のセンサーであってもよく、また一つのセンサーだけであってもよい。
【産業上の利用可能性】
【００３６】
以上のように、本発明にかかる家庭内情報システムは、メーターの異常検知に対する対応操作時の警報や通報といった誤報を防止することを可能とすることができるので、監視用カメラなどの他のセキュリティ機器や他の家庭内機器の情報との組み合わせ、およびメーター管理会社の監視システムなどとの組み合わせにより、更に高度な安全性向上を実現できる家庭内保安システムの用途にも適用できる。
【図面の簡単な説明】
【００３７】
【図１】本発明の実施の形態における家庭内情報システムの構成図
【図２】（ａ）同家庭内情報システムにおける表示装置の表示状態を示す正面図（ｂ）表示状態の遷移を示す図
【図３】従来の家庭内情報システムの構成図
【符号の説明】
【００３８】
１０  家庭内情報端末
１１  タッチパネル
１２  表示装置
１３  警報音発生用スピーカ
１４  時計手段
１５、１８  通信手段
１６  開閉センサー
１７  人感センサー
１９  ガス漏れセンサー
２２  ガスメーター
２４  電話回線
２５  外部電話機
２６〜３１  ガス漏れ遮断報知画面
【図１】
2006343929.tif 000003
【図２】
2006343929.tif 000004
【図３】
2006343929.tif 000005